(57)【要約】【課題】集水ます本体の安定した支持状態を得ると共に、集水ます本体と躯体との間の隙間が広がった場合でも躯体取付カバーにて外観性を良好に保つ。竪樋の熱収縮を集水ます本体と躯体取付カバーとのスライド嵌合部分で吸収する。【解決手段】外壁面に沿って配設された枝管２などの排水部材からの雨水を集めて竪樋に排水するための集水ます本体５と、外壁面に取り付けられる躯体取付カバー６とで集水ます４が構成されている。集水ます本体５はスライド嵌合手段７により躯体取付カバー６に対して前後方向Ｃへの移動を規制した状態で上下方向Ｈのみにスライド自在に嵌合されると共にスライド嵌合状態で集水ます本体５と外壁面との間の隙間及び枝管が躯体取付カバー６にて隠蔽された集水ます４の躯体取付構造である。【選択図】図１
2008133621.tif 000002
【特許請求の範囲】
【請求項１】
建物の躯体に沿って配設された軒樋や枝管などの排水部材からの雨水を集めて竪樋に排水するための集水ます本体と、躯体に対して取り付けられる躯体取付カバーとで集水ますが構成され、上記集水ます本体はスライド嵌合手段により上記躯体取付カバーに対して前後方向への移動を規制した状態で上下方向のみにスライド自在に嵌合されると共に、集水ます本体と躯体取付カバーとのスライド嵌合状態で集水ます本体と躯体との間の隙間及び枝管が躯体取付カバーにて隠蔽されていることを特徴とする集水ますの躯体取付構造。
【請求項２】
上記スライド嵌合手段は、躯体取付カバーの内側面とこれに対向する集水ます本体の外側面のいずれか一方に設けられる上下方向に延びる嵌合凹部と、いずれか他方に設けられて前後方向から上記嵌合凹部に対して嵌合可能であり且つ嵌合状態では嵌合凹部に沿って上下方向のみにスライド可能となる嵌合凸部とで構成されていることを特徴とする請求項1記載の集水ますの躯体取付構造。
【請求項３】
上記躯体取付カバーの内側の後面部に、躯体にビス固定されるビス打込み穴を設けたことを特徴とする請求項１又は請求項２記載の集水ますの躯体取付構造。
【発明の詳細な説明】
【技術分野】
【０００１】
本発明は、集水ますの躯体取付構造に関し、詳しくは建物の躯体に沿って配設された軒樋や枝管などの排水部材からの雨水を集めて竪樋に排水するための集水ますを躯体に取り付ける技術に関するものである。
【背景技術】
【０００２】
一般に、集合住宅等の多階層建築物の排水管系に使用される排水集合管は、建築物の各階ごとに、汚水や雑排水を躯体（建物の外壁面）から出ている枝管を介して集水ます内へ流入させ、集水ますの底壁に設けた排水口から竪樋へ流下させるよう構成されている（例えば、特許文献１〜３参照）。
【０００３】
ところが、従来の集水ますの施工では、図４に示すように、集水ます４´を外壁面１に固定するのではなく、集水ます４´に接続される竪樋３の上部を控金具１０を用いて外壁面１に固定するものである。つまり集水ます４´自体は外壁面１に固定されないために不安定な状態となり、例えば風とか竪樋３の熱収縮等によって集水ます４´が変移すると、集水ます４´が枝管２から外れてしまうといった問題がある。そこで、仮りに外壁面１から離れないように集水ます４´を外壁面１に密着して施工すれば、外壁面１からの竪樋３の出寸法Ｂがとても小さくなり、竪樋３に対して控金具１０が取り付け不能となる。そのために従来では竪樋３の出寸法Ｂを大きくせざるを得ず、結果として集水ます４´が自然と外壁面１から離れて浮いた状態となり、不安定となるうえに、集水ます４´と外壁面１間の隙間８が生じて枝管２が目立つようになる。また例えば図５（ａ）或いは（ｂ）に示すように集水ます４´をエルボ２０と横引管２１とを用いて竪樋３に接続しなければならないような納まりの場合にあっては、竪樋３の出寸法Ｂに応じて集水ます４´の出寸法も大きくなり、隙間８から枝管２も丸見えとなって外観が低下するという問題があった。
【０００４】
他の従来例として、集水ますと壁面との隙間を覆うためのカバーを集水ますに固定した構造が知られている（例えば、特許文献４参照）。
【０００５】
しかしながら上記特許文献１に記載された他の従来例では、上記特許文献１〜３に記載された従来例と同様、集水ます自体は外壁面に固定されないために不安定であり、さらに風とか竪樋の熱収縮等によって集水ますが変移した場合は、集水ますが枝管から外れてしまうという問題があり、またこのとき集水ますに固定されているカバーも一緒に変移して外壁面から離れてしまい、カバーによる集水ますと外壁面との間の隙間を隠蔽する機能が損なわれ、外観上の納まりが悪くなるといった問題もある。
【特許文献１】特開２００５−１４６６３７号公報
【特許文献２】特開平８−２５４２９６号公報
【特許文献３】特開２００５−２９９３３２号公報
【特許文献４】特開２００６−１９３９８９号公報
【発明の開示】
【発明が解決しようとする課題】
【０００６】
本発明は上記の従来の問題点に鑑みて発明したものであって、集水ます本体を躯体取付カバーを介して躯体に固定でき、これにより集水ます本体の安定した支持状態が得られ、集水ます本体が躯体から出ている枝管から外れてしまわないようにできると共に、集水ます本体と躯体との間の隙間が広がった場合でも躯体取付カバーにて外観性を良好に保つことができ、さらに、竪樋の熱収縮を集水ます本体と躯体取付カバーとのスライド嵌合部分で吸収でき、集水ますの躯体に取り付けられる部分の変形や割れの発生を防いで良好な外観を長期に亘って持続できる集水ますの躯体取付構造を提供することを課題とし、また、躯体取付カバーに対する集水ます本体の係合作業をワンタッチで且つ確実に行なうことができ、取り付け作業性の向上に加えて施工の信頼性を高めることができる集水ますの躯体取付構造を提供することを課題とするものである。
【課題を解決するための手段】
【０００７】
前記課題を解決するために本発明は、建物の躯体に沿って配設された軒樋や枝管２などの排水部材からの雨水を集めて竪樋３に排水するための集水ます本体５と、躯体に対して取り付けられる躯体取付カバー６とで集水ます４が構成され、上記集水ます本体５はスライド嵌合手段７により上記躯体取付カバー６に対して前後方向Ｃへの移動を規制した状態で上下方向Ｈのみにスライド自在に嵌合されると共に、集水ます本体５と躯体取付カバー６とのスライド嵌合状態で集水ます本体５と躯体との間の隙間８及び枝管２が躯体取付カバー６にて隠蔽されていることを特徴としている。
【０００８】
このような構成とすることで、集水ます本体５を躯体取付カバー６を介して躯体に固定できるので、集水ます本体５の安定した支持状態が得られるようになり、しかも集水ます本体５が躯体から出ている枝管２から外れてしまわないようにできると共に、集水ます本体５と躯体との間の隙間８が広がった場合でも躯体取付カバー６にて外観性を良好に保つことができる。さらに、竪樋３の熱収縮を集水ます本体５と躯体取付カバー６とのスライド嵌合部分で吸収できるので、集水ます４の躯体に取り付けられる部分の変形や割れの発生を防止できるようになる。
【０００９】
また、上記スライド嵌合手段７は、躯体取付カバー６の内側面とこれに対向する集水ます本体５の外側面のいずれか一方に設けられる上下方向Ｈに延びる嵌合凹部７ａと、いずれか他方に設けられて前後方向Ｃから上記嵌合凹部７ａに対して嵌合可能であり且つ嵌合状態では嵌合凹部７ａに沿って上下方向Ｈのみにスライド可能となる嵌合凸部７ｂとで構成されているのが好ましく、この場合、前後方向Ｃから集水ます本体５を躯体取付カバー６内に押し込むだけで、嵌合凸部７ｂが嵌合凹部７ａに対して嵌合可能となり、しかも嵌合した状態では、嵌合凸部７ｂは嵌合凹部７ａに沿って上下方向Ｈのみにスライド嵌合して、前後方向Ｃへの移動は規制されるので、集水ます本体５を躯体取付カバー６に対して容易に且つ確実に取り付けることができるようになる。
【００１０】
また、上記躯体取付カバー６の内側の後面部に、躯体にビス固定されるビス打込み穴を設けるのが好ましく、この場合、ビス打込み穴１１が外部に露出しないようにでき、外観が一層向上する。
【発明の効果】
【００１１】
本発明は、集水ます本体を躯体取付カバーを介して躯体に対して固定することにより、躯体取付カバーにて集水ます本体と躯体との間の隙間を隠蔽しながら、集水ます本体の安定した支持状態が得られ、集水ますの安定支持と外観性の向上とを図ることができるものであり、さらに、竪樋の熱収縮を集水ます本体と躯体取付カバーとのスライド嵌合部分で吸収でき、集水ますの躯体に取り付けられる部分の変形や割れを防いで、外壁面に対する安定した取り付け強度及び良好な外観を長期に亘って持続できるものである。
【００１２】
また、上記前後方向から集水ます本体を躯体取付カバー内に押し込むことにより、嵌合凸部が嵌合凹部に対して嵌合可能とし且つ嵌合状態では前後方向への移動が規制されることにより、集水ます本体を躯体取付カバーに対してワンタッチで且つ確実に取り付け可能となり、取り付け作業性の向上に加えて施工の信頼性を高めることができるものである。
【発明を実施するための最良の形態】
【００１３】
以下、本発明を添付図面に示す実施形態に基いて説明する。
【００１４】
本実施形態の集水ます４は、図１に示すように、竪樋３の頂部に接続される集水ます本体５と、外壁面１に対して取り付けられる躯体取付カバー６とで構成される。
【００１５】
集水ます本体５は、周壁及び底壁を有する本体部５ａと、本体部５ａの上面開口部を覆う蓋部５ｂとからなり、本体部５ａの後壁には外壁面１から出ている枝管２と接続される枝管接続口が設けられている。
【００１６】
上記躯体取付カバー６は、外壁面１に取り付けられる躯体取付部６ａと、集水ます本体５と外壁面１との間の隙間８（図３）を隠蔽するためのカバー部６ｂとが一体形成されている。本例の躯体取付カバー６は前方及び上方に開放され、左右の両側面部６ｄと底面部６ｅと後面部６ｃとで構成されており、後面部６ｃが躯体取付部６ａとして機能し、両側面部６ｄ及び底面部６ｅがカバー部６ｂとして機能する。カバー部６ｂの前後寸法は集水ます本体５の出寸法Ａとなり、上下寸法ｆは集水ます本体５の高さ寸法よりも長尺に形成され、内幅寸法ｇは集水ます本体５の最大幅と略同寸法に設定されている。また本例では、躯体取付部６ａである後面部６ｃの中央側に枝管２が挿入される上向きＵ字状の枝管受け口１３が設けられ、その左右両サイドにそれぞれ、外壁面１にビス固定されるビス打込み穴１１が設けられている。なお、底面部６ｅの前端部は後述する嵌合凹部７ａの下方位置に配置されており、底面部６ｅと竪樋３との干渉を防止できるようにしている。
【００１７】
上記集水ます本体５はスライド嵌合手段７により上記躯体取付カバー６に対して前後方向Ｃへの移動を規制した状態で上下方向Ｈのみにスライド自在に嵌合されるものであり、そのスライド嵌合状態で集水ます本体５と躯体との間の隙間８及び枝管２が躯体取付カバー６にて隠蔽されるようになっている。
【００１８】
上記スライド嵌合手段７は、躯体取付カバー６の内側面とこれに対向する集水ます本体５の外側面のいずれか一方に設けられる上下方向Ｈに延びる嵌合凹部７ａと、いずれか他方に設けられて前後方向Ｃから上記嵌合凹部７ａに対して嵌合可能であり且つ嵌合状態では嵌合凹部７ａに沿って上下方向Ｈのみにスライド可能となる嵌合凸部７ｂとからなる。本例の嵌合凹部７ａは、図１、図２に示すように、躯体取付カバー６の左右の内側面の前端コーナー部にそれぞれ形成されている。各嵌合凹部７ａは左右対称形状をしており、躯体取付カバー６の上端から下端に至る上下方向Ｈ全長に亘って延びた前壁１４ａと後壁１４ｂとからなり、前壁１４ａの前端面は面取りされたテーパー面１４ｃとなっており、背面は垂直面１４ｄとなっている。一方、嵌合凸部７ｂは、集水ます本体５の左右の外側面の後端コーナー部９にそれぞれ形成されている。各嵌合凸部７ｂは左右対称形状をしており、集水ます本体５の上端から下端に至る上下方向Ｈ全長に亘って延びており、後端コーナー部９の後面が面取りされたテーパー面９ａとなっており、背面が垂直面９ｂとなっている。
【００１９】
しかして、上記躯体取付カバー６を外壁面１に取り付けた状態で、図２に示すように、前後方向Ｃから集水ます本体５を躯体取付カバー６内に押し込むことにより、嵌合凸部７ｂを嵌合凹部７ａに対して嵌合可能となる（図２（ｂ）の状態）。つまり嵌合凸部７ｂのテーパー面９ａと嵌合凹部７ａのテーパー面１４ｃとによって嵌合凸部７ｂは嵌合凹部７ａの前壁１４ａをスムーズに乗り越えて嵌合凹部７ａ内にスムーズに嵌合できる構造となり、さらにこの嵌合状態では嵌合凸部７ｂが、前壁１４ａの垂直面１４ｄと後壁１４ｂとで前後方向Ｃへの移動が規制された状態となり且つ嵌合凹部７ａに沿って上下方向Ｈのみにスライドできる状態となる。これにより、躯体取付カバー６に対する集水ます本体５の取り付けがワンタッチで行なわれ、取り付け作業に手間がかからず、しかも躯体取付カバー６から集水ます本体５が抜け出る心配がないため施工の信頼性が高められる。さらに、図３に示すように、集水ます本体５は躯体取付カバー６を介して外壁面１に固定された構造となるので、従来のように集水ます４が外壁面１から浮いた状態となっている場合（図４）と比較して、集水ます本体５の安定した支持状態が得られるので、集水ます本体５が枝管２から外れてしまわないようにできる。
【００２０】
さらに、上記のように嵌合凸部７ｂと嵌合凹部７ａとの嵌合によって、集水ます本体５の外壁面１からの出寸法Ａが決まるので、出寸法Ａの調整作業が不要となる。またこれと同時に躯体取付カバー６によるカバー機能が持続されるので、集水ます本体５と外壁面１との隙間８を隠蔽できると共に枝管２も隠蔽できるようになるので、例えば図５（ａ）或いは（ｂ）に示すように、集水ます４をエルボ２０と横引管２１とを用いて横方向に振って竪樋３に接続しなければならないような納まりの場合であっても、本発明では集水ます本体５が外壁面１から浮いて見えたり、枝管２が丸見えになったりすることがなくなり、そのうえ躯体取付カバー６の内側の後面部６ｃに躯体取付部６ａとしてのビス打込み穴１１を設けているため、ビス打込み穴１１が外部に露出しなくなり、結果、集水ます４の安定した支持と外観性の向上とを図ることができるものである。
【００２１】
さらに、集水ます本体５と躯体取付カバー６とが上下方向Ｈにスライド嵌合しているので、竪樋３の熱収縮等があってもそれをスライド嵌合部分にて吸収できるので、外壁面１に対して固定されている集水ます４の躯体取付カバー６部分の変形や割れの発生を防止でき、結果として、外壁面１に対する取り付け強度を長期に亘って維持できると共に、良好な外観を長期に亘って持続できる利点も得られる。
【００２２】
なお、前記実施形態では嵌合凸部７ｂを集水ます本体５側に設け、嵌合凹部７ａを躯体取付カバー６側に設けたが、これとは逆に、嵌合凸部７ｂを躯体取付カバー６側に設け、嵌合凹部７ａを集水ます本体５側に設けることも可能である。
【図面の簡単な説明】
【００２３】
【図１】本発明の一実施形態に用いる集水ますの分解斜視図である。
【図２】（ａ）は同上の集水ます本体を躯体取付カバーに取り付ける前の状態を示す平面図、（ｂ）は取り付け後における嵌合凸部と嵌合凹部とのスライド嵌合状態の説明図である。
【図３】同上の集水ます本体を躯体取付カバーを介して躯体に取り付けた状態の側面図である。
【図４】従来例の説明図である。
【図５】（ａ）（ｂ）は他の従来例の説明図である。
【符号の説明】
【００２４】
１  外壁面（躯体）
２  枝管
３  竪樋
４  集水ます
５  集水ます本体
６  躯体取付カバー
７  スライド嵌合手段
７ａ  嵌合凸部
７ｂ  嵌合凹部
８  隙間
１１  ビス打込み穴
Ａ  集水ます本体の出寸法
Ｂ  竪樋の出寸法
Ｃ  前後方向
Ｈ  上下方向
【図１】
2008133621.tif 000003
【図２】
2008133621.tif 000004
【図３】
2008133621.tif 000005
【図４】
2008133621.tif 000006
【図５】
2008133621.tif 000007